(57)【要約】【課題】一度補充したコラムは商品が売切れるまで補充を行なわない運用とし、劣化日数を超えても商品が売切れとならないコラムを販売不可とすることで、収容本数や補充数等の複雑な設定をする必要もなく、正確に劣化を判定し、劣化商品の販売を防止することができるという自動販売機の制御装置を提供することを目的とする。【解決手段】タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にする。【選択図】図１
2005115733.tif 000002
【特許請求の範囲】
【請求項１】
貨幣検出選別装置、商品搬出機構装置、庫内冷熱システム制御装置等、自動販売機全体を制御する主制御部と、商品の劣化日数を記憶する劣化日数記憶手段と、経過した日数をカウントし記憶する経過日数記憶手段と、前記主制御部と前記劣化日数記憶手段と前記経過日数記憶手段に接続された演算制御部を備え、前記演算制御部は、コラムが商品ありとなった後、前記劣化日数記憶手段に記憶されている劣化日数を経過した場合、該当コラムの販売を不可にすることを特徴とした自動販売機の制御装置。
【請求項２】
商品の劣化日数を設定する劣化日数設定手段を備え、前記演算制御部は、前記劣化日数設定手段にて入力されたデータを、前記劣化日数記憶手段に記憶させる請求項１に記載の自動販売機の制御装置。
【請求項３】
商品の売切れ変化を記憶する売切れ状態記憶手段を備え、前記演算制御部は、前記売切れ状態記憶手段にて売切れ変化が記憶されている場合、さらに１回だけは販売可能にする請求項１または２に記載の自動販売機の制御装置。
【請求項４】
コラムが収容されている庫内番号を記憶する庫内番号記憶手段を備え、前記演算制御部は、前記庫内番号記憶手段に記憶されているデータに基づき、収容されているコラムが全て販売が不可になったと判定した場合、該当庫内の冷熱システムを停止する請求項１から３のいずれか一項に記載の自動販売機の制御装置。
【請求項５】
冷熱システム制御温度レベル毎に劣化日数補正データを記憶する劣化日数補正データ記憶手段を備え、前記演算制御部は、前記劣化日数補正データ記憶手段に記憶されている劣化日数補正データに基づき、前記劣化日数記憶手段に記憶されている劣化日数を補正する請求項１から４のいずれか一項に記載の自動販売機の制御装置。
【請求項６】
各コラムの劣化日数に到達するまでの日数を表示する劣化到達日数表示手段を備え、前記演算制御部は、各コラム毎に、前記劣化日数記憶手段に記憶されている劣化日数から前記経過日数記憶手段に記憶されている経過日数を減算し、そのデータを各コラム毎に前記劣化到達日数表示手段に表示する請求項１から５のいずれか一項に記載の自動販売機の制御装置。
【発明の詳細な説明】
【技術分野】
【０００１】
本発明は、劣化商品の販売を防止する自動販売機の制御装置に関するものである。
【背景技術】
【０００２】
従来、この種の自動販売機の制御装置は、ミルク等の冷却あるいは加温した場合に劣化を起こしやすい成分が含まれる缶飲料に関して、収容本数、商品の保証期間、補充本数の設定を行ない、それらのデータと、自動販売機内での滞留期間、販売本数から、劣化が発生するか否かを判定し、その結果を表示して顧客に知らしめている（例えば、特許文献１参照）。
【０００３】
図１３は、特許文献１に記載された従来の自動販売機の制御部の機能ブロック図を示すものである。図１３に示すように、自動販売機の判定部１０１と、各コラムの商品の保証期間を演算する保証期間演算部１０２と、各コラムの平均販売数を演算する平均販売数演算部１０３と、各コラムの商品の滞留期間を演算する滞留期間演算部１０４と、警告表示を表示する表示１０５とから構成されている。
【０００４】
以上のように構成された自動販売機の判定部１０１について、以下その動作を説明する。平均販売数演算部１０３は各コラムの補充数、販売数等のデータに基づいて、１日当りの平均販売数を各コラム毎に算出し、滞留期間演算部１０４は、この平均販売数に基づいて、各コラム毎に、商品が滞留すると見込まれる期間を予測し、その期間が保証期間演算部１０２で演算される各コラムの保証期間を超える場合、表示部１０５に警告表示を行ない、劣化発生の可能性があることを顧客に知らしめる。
【特許文献１】特開平０８−３１５２２７号公報
【発明の開示】
【発明が解決しようとする課題】
【０００５】
しかしながら従来の技術では、商品変更の度に収容本数の設定を変更する必要があり、また、収容本数や補充数を間違った場合は、滞留期間の演算が狂い、正確に劣化を判定できなくなるといった欠点があった。
【０００６】
本発明は、前記従来の課題を解決するもので、一度補充したコラムは商品が売切れるまで補充を行なわない運用とし、劣化日数を超えても商品が売切れとならないコラムは、商品の保証期間を超えたため劣化が発生する商品が残っていると判定され、販売不可となり、収容本数や補充数等の複雑な設定をする必要もなく、正確に劣化を判定し、劣化商品の販売を防止することができるという自動販売機の制御装置を提供することを目的とする。
【課題を解決するための手段】
【０００７】
前記従来の課題を解決するために、本発明の自動販売機の制御装置は、貨幣検出選別装置、商品搬出機構装置等、自動販売機全体を制御する主制御部と、商品の劣化日数を記憶する劣化日数記憶手段と、経過した日数をカウントし記憶する経過日数記憶手段と、前記主制御部と前記劣化日数記憶手段と前記経過日数記憶手段に接続された演算制御部とからなり、前記演算制御部は、コラムが商品ありとなった後、前記劣化日数記憶手段に記憶されている劣化日数を経過した場合、該当コラムの販売を不可にするとしたものである。
【０００８】
これによって、一度補充したコラムは商品が売切れるまで補充を行なわない運用とし、劣化日数を超えても商品が売切れとならないコラムは、商品の保証期間を超えたため劣化が発生する商品が残っていると判定され、販売不可となり、収容本数や補充数等の複雑な設定をする必要もなく、正確に劣化を判定し、劣化商品の販売を防止することができる。
【０００９】
また、本発明の自動販売機の制御装置は、商品の劣化日数を設定する劣化日数設定手段を備え、前記演算制御部は、前記劣化日数設定手段にて入力されたデータを、前記劣化日数記憶手段に記憶させるとしたものである。
【００１０】
これによって、収容する商品に応じて劣化日数を変更することが可能となり、より正確に劣化を判定し、劣化商品の販売を防止することができる。
【００１１】
また、本発明の自動販売機の制御装置は、商品の売切れ変化を記憶する売切れ状態記憶手段を備え、前記演算制御部は、前記売切れ状態記憶手段にて売切れ変化が記憶されている場合、さらに１回だけは販売可能にするとしたものである。
【００１２】
これによって、コラムに商品を１本だけ残して売切れ状態となる自動販売機において、商品ありから売切れに変化した状態から、さらに１回だけ販売することが可能となり、収容する商品を全て販売し残品を残さないことができ、商品の劣化を防止することができる。
【００１３】
また、本発明の自動販売機の制御装置は、コラムが収容されている庫内番号を記憶する庫内番号記憶手段を備え、前記演算制御部は、前記庫内番号記憶手段に記憶されているデータに基づき、収容されているコラムが全て販売が不可になったと判定した場合、該当庫内の冷熱システムを停止するとしたものである。
【００１４】
これによって、劣化商品の発生により、各庫内にて、収容しているコラムが全て販売不可になった場合に該当庫内の冷熱システムを停止することができ、無駄な冷熱システム運転をなくすことができる。
【００１５】
また、本発明の自動販売機の制御装置は、冷熱システム制御温度レベル毎に劣化日数補正データを記憶する劣化日数補正データ記憶手段を備え、前記演算制御部は、前記劣化日数補正データ記憶手段に記憶されている劣化日数補正データに基づき、前記劣化日数記憶手段に記憶されている劣化日数を補正するとしたものである。
【００１６】
これによって、冷熱システムの制御温度が変更された場合、その制御温度に該当する補正データによって、適正な劣化日数により、より正確に劣化を判定することができる。
【００１７】
また、本発明の自動販売機の制御装置は、各コラムの劣化日数に到達するまでの日数を表示する劣化到達日数表示手段を備え、前記演算制御部は、各コラム毎に、前記劣化日数記憶手段に記憶されている劣化日数から前記経過日数記憶手段に記憶されている経過日数を減算し、そのデータを各コラム毎に前記劣化到達日数表示手段に表示するとしたものである。
【００１８】
これによって、各コラムの劣化に到達するまでの日数を顧客に知らしめ、劣化商品の発生の警告ができる。
【発明の効果】
【００１９】
本発明の自動販売機の制御装置は、収容本数や補充数等の複雑な設定をする必要もなく、正確に劣化を判定し、劣化商品の販売を防止することができる。
【発明を実施するための最良の形態】
【００２０】
請求項１に記載の発明は貨幣検出選別装置、商品搬出機構装置等、自動販売機全体を制御する主制御部と、商品の劣化日数を記憶する劣化日数記憶手段と、経過した日数をカウントし記憶する経過日数記憶手段と、前記主制御部と前記劣化日数記憶手段と前記経過日数記憶手段に接続された演算制御部とからなり、前記演算制御部は、コラムが商品ありとなった後、前記劣化日数記憶手段に記憶されている劣化日数を経過した場合、該当コラムの販売を不可にすることにより、一度補充したコラムは商品が売切れるまで補充を行なわない運用とし、劣化日数を超えても商品が売切れとならないコラムは、商品の保証期間を超えたため劣化が発生する商品が残っていると判定され、販売不可となり、収容本数や補充数等の複雑な設定をする必要もなく、正確に劣化を判定し、劣化商品の販売を防止することができる。
【００２１】
請求項２に記載の発明は、請求項１に記載の発明に、さらに、商品の劣化日数を設定する劣化日数設定手段を備え、前記演算制御部は、前記劣化日数設定手段にて入力されたデータを、前記劣化日数記憶手段に記憶させることにより、収容する商品に応じて劣化日数を変更することが可能となり、より正確に劣化を判定し、劣化商品の販売を防止することができる。
【００２２】
第３の発明は、特に、請求項１または請求項２に記載の発明に、さらに、商品の売切れ変化を記憶する売切れ状態記憶手段を備え、前記演算制御部は、前記売切れ状態記憶手段にて売切れ変化が記憶されている場合、さらに１回だけは販売可能にすることにより、コラムに商品を１本だけ残して売切れ状態となる自動販売機において、商品ありから売切れに変化した状態から、さらに１回だけ販売することが可能となり、収容する商品を全て販売し残品を残さないことができ、商品の劣化を防止することができる。
【００２３】
請求項４に記載の発明は、請求項１から３に記載の発明のいずれか１つの発明に、さらに、コラムが収容されている庫内番号を記憶する庫内番号記憶手段を備え、前記演算制御部は、前記庫内番号記憶手段に記憶されているデータに基づき、収容されているコラムが全て販売が不可になったと判定した場合、該当庫内の冷熱システムを停止することにより、劣化商品の発生により、各庫内にて、収容しているコラムが全て販売不可になった場合に該当庫内の冷熱システムを停止することができ、無駄な冷熱システム運転をなくすことができる。
【００２４】
請求項５に記載の発明は、請求項１から４に記載の発明のいずれか１つの発明に、さらに、冷熱システム制御温度レベル毎に劣化日数補正データを記憶する劣化日数補正データ記憶手段を備え、前記演算制御部は、前記劣化日数補正データ記憶手段に記憶されている劣化日数補正データに基づき、前記劣化日数記憶手段に記憶されている劣化日数を補正することにより、冷熱システムの制御温度が変更された場合、その制御温度に該当する補正データによって、適正な劣化日数により、より正確に劣化を判定することができる。
【００２５】
請求項６に記載の発明は、請求項１から５に記載の発明のいずれか１つの発明に、さらに、各コラムの劣化日数に到達するまでの日数を表示する劣化到達日数表示手段を備え、前記演算制御部は、各コラム毎に、前記劣化日数記憶手段に記憶されている劣化日数から前記経過日数記憶手段に記憶されている経過日数を減算し、そのデータを各コラム毎に前記劣化到達日数表示手段に表示することにより、各コラムの劣化に到達するまでの日数を顧客に知らしめ、劣化商品の発生の警告ができる。
【００２６】
以下、本発明の実施の形態について、図面を参照しながら説明する。なお、この実施の形態によって本発明が限定されるものではない。
【００２７】
（実施の形態１）
図１は、本発明の実施の形態１による自動販売機の制御装置の機能ブロック図である。図２は、同実施の形態の動作を示すフローチャートである。
【００２８】
図１において、１は貨幣検出選別装置、商品搬出機構装置等、自動販売機全体を制御する主制御部、２はコラム毎に商品が劣化すると思われる日数を予め記憶している劣化日数記憶手段、３はコラム毎に経過した日数をカウントし記憶する経過日数記憶手段、４は月日や時間をカウントするタイマー、５は各コラムに該当する販売可能ランプと売切れランプを内蔵している選択ボタン、６ａはタイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にする演算制御部である。
【００２９】
以上のように構成された自動販売機の制御装置について、以下その動作を図２のフローチャートをもとにして説明する。
【００３０】
まず、演算制御部６ａは、タイマー４にて日付に変更があるか否かを判定し、変更がある場合はＳＴＥＰ２を行ない、変更がない場合はＳＴＥＰ３を行なう（ＳＴＥＰ１）。経過日数記憶手段３に記憶されている各コラムの経過日数データに１を加算し、経過日数記憶手段３に記憶させる（ＳＴＥＰ２）。各コラム別に判定を実施するために、コラム番号nに初期データとして１をセットする（ＳＴＥＰ３）。ｎ番コラムが売切れか否かを判定し、売切れの場合はＳＴＥＰ５を行ない、売切れでない場合はＳＴＥＰ６を行なう（ＳＴＥＰ４）。経過日数記憶手段３のｎ番コラムに該当する経過日数データをクリアする（ＳＴＥＰ５）。劣化日数記憶手段２のｎ番コラムに該当する劣化日数データと経過日数記憶手段３のｎ番コラムに該当する経過日数データを比較し、経過日数データが劣化日数データより大きいか否かを判定し、大きい場合はＳＴＥＰ７を行ない、大きくない場合はＳＴＥＰ８を行なう（ＳＴＥＰ６）。ｎ番コラムに該当する選択ボタン５の売切れランプを点灯し、ｎ番コラムの販売を不可にする（ＳＴＥＰ７）。全コラムの確認をしたか否かを判定し、している場合は処理を終了し、していない場合はＳＴＥＰ９を行なう（ＳＴＥＰ８）。次コラムの確認を行なうために、コラム番号nに１を加算し、ＳＴＥＰ４を行なう（ＳＴＥＰ９）。
【００３１】
以上のように、本実施の形態においては、貨幣検出選別装置、商品搬出機構装置等、自動販売機全体を制御する主制御部１と、コラム毎に商品が劣化すると思われる日数を予め記憶している劣化日数記憶手段２と、コラム毎に経過した日数をカウントし記憶する経過日数記憶手段３と、月日や時間をカウントするタイマー４と、各コラムに該当する販売可能ランプと売切れランプを内蔵している選択ボタン５と、主制御部１と劣化日数記憶手段２と経過日数記憶手段３とタイマー４と選択ボタン５に接続された演算制御部６ａとからなり、演算制御部６ａは、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にすることにより、一度補充したコラムは商品が売切れるまで補充を行なわない運用とし、劣化日数を超えても商品が売切れとならないコラムは、商品の保証期間を超えたため劣化が発生する商品が残っていると判定され、販売不可となり、収容本数や補充数等の複雑な設定をする必要もなく、正確に劣化を判定し、劣化商品の販売を防止することができる。
【００３２】
（実施の形態２）
図３は、本発明の実施の形態２による自動販売機の制御装置の機能ブロック図である。図４は、同実施の形態の動作を示すフローチャートである。なお実施の形態１と同一構成のものは、同一符号を付してその詳細な説明を省略する。
【００３３】
図３において、７はコラム毎に商品の劣化日数を設定する劣化日数設定手段、６ｂは劣化日数設定手段７にてコラム毎に変更されたデータを、劣化日数記憶手段２に記憶させ、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にする演算制御部である。
【００３４】
以上のように構成された自動販売機の制御装置について、以下その動作を図４のフローチャートをもとにして説明する。
【００３５】
まず、演算制御部６ｂは、劣化日数設定手段７にて劣化日数が変更されたか否かを判定し、変更がある場合はＳＴＥＰ１１を行ない、変更がない場合はＳＴＥＰ１２を行なう（ＳＴＥＰ１０）。劣化日数設定手段７にてコラム毎に変更されたデータを、劣化日数記憶手段２に記憶させる（ＳＴＥＰ１１）。タイマー４にて日付に変更があるか否かを判定し、変更がある場合はＳＴＥＰ１３を行ない、変更がない場合はＳＴＥＰ１４を行なう（ＳＴＥＰ１２）。経過日数記憶手段３に記憶されている各コラムの経過日数データに１を加算し、経過日数記憶手段３に記憶させる（ＳＴＥＰ１３）。各コラム別に判定を実施するために、コラム番号nに初期データとして１をセットする（ＳＴＥＰ１４）。ｎ番コラムが売切れか否かを判定し、売切れの場合はＳＴＥＰ１６を行ない、売切れでない場合はＳＴＥＰ１７を行なう（ＳＴＥＰ１５）。経過日数記憶手段３のｎ番コラムに該当する経過日数データをクリアする（ＳＴＥＰ１６）。劣化日数記憶手段２のｎ番コラムに該当する劣化日数データと経過日数記憶手段３のｎ番コラムに該当する経過日数データを比較し、経過日数データが劣化日数データより大きいか否かを判定し、大きい場合はＳＴＥＰ１８を行ない、大きくない場合はＳＴＥＰ１９を行なう（ＳＴＥＰ１７）。ｎ番コラムに該当する選択ボタン５の売切れランプを点灯し、ｎ番コラムの販売を不可にする（ＳＴＥＰ１８）。全コラムの確認をしたか否かを判定し、している場合は処理を終了し、していない場合はＳＴＥＰ２０を行なう（ＳＴＥＰ１９）。次コラムの確認を行なうために、コラム番号nに１を加算し、ＳＴＥＰ１５を行なう（ＳＴＥＰ２０）。
【００３６】
以上のように、本実施の形態においては、特に、第１の発明に、さらに、商品の劣化日数を設定する劣化日数設定手段７を備え、演算制御部６bは、劣化日数設定手段７にてコラム毎に変更されたデータを、劣化日数記憶手段２に記憶させ、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にすることにより、収容する商品に応じて劣化日数を変更することが可能となり、より正確に劣化を判定し、劣化商品の販売を防止することができる。
【００３７】
（実施の形態３）
図５は、本発明の実施の形態３による自動販売機の制御装置の機能ブロック図である。図６は、同実施の形態の動作を示すフローチャートである。なお実施の形態２と同一構成のものは、同一符号を付してその詳細な説明を省略する。
【００３８】
図５において、８は商品の売切れ変化を記憶する売切れ状態記憶手段、６ｃは劣化日数設定手段７にてコラム毎に変更されたデータを、劣化日数記憶手段２に記憶させ、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にする演算制御部である。
【００３９】
以上のように構成された自動販売機の制御装置について、以下その動作を図６のフローチャートをもとにして説明する。
【００４０】
まず、演算制御部６ｃは、劣化日数設定手段７にて劣化日数が変更されたか否かを判定し、変更がある場合はＳＴＥＰ２２を行ない、変更がない場合はＳＴＥＰ２３を行なう（ＳＴＥＰ２１）。劣化日数設定手段７にてコラム毎に変更されたデータを、劣化日数記憶手段２に記憶させる（ＳＴＥＰ２２）。タイマー４にて日付に変更があるか否かを判定し、変更がある場合はＳＴＥＰ２４を行ない、変更がない場合はＳＴＥＰ２５を行なう（ＳＴＥＰ２３）。経過日数記憶手段３に記憶されている各コラムの経過日数データに１を加算し、経過日数記憶手段３に記憶させる（ＳＴＥＰ２４）。各コラム別に判定を実施するために、コラム番号nに初期データとして１をセットする（ＳＴＥＰ２５）。ｎ番コラムが売切れか否かを判定し、売切れの場合はＳＴＥＰ２７を行ない、売切れでない場合はＳＴＥＰ２８を行なう（ＳＴＥＰ２６）。経過日数記憶手段３のｎ番コラムに該当する経過日数データをクリアする（ＳＴＥＰ２７）。劣化日数記憶手段２のｎ番コラムに該当する劣化日数データと経過日数記憶手段３のｎ番コラムに該当する経過日数データを比較し、経過日数データが劣化日数データより大きいか否かを判定し、大きい場合はＳＴＥＰ３０を行ない、大きくない場合はＳＴＥＰ２９を行なう（ＳＴＥＰ２８）。商品販売後、ｎ番コラムが売切れでない場合、売切れ状態記憶手段８に記憶されているｎ番コラムに該当する売切れ状態データをクリアし、ＳＴＥＰ３１を行なう。
【００４１】
商品販売後、ｎ番コラムが売切れで、売切れ状態記憶手段８に記憶されているｎ番コラムに該当する売切れ状態データがクリアの場合、ｎ番コラムに該当する売切れ状態データに売切れ発生状態をセットし、ＳＴＥＰ３１を行なう。商品販売後、ｎ番コラムが売切れで、売切れ状態記憶手段８に記憶されているｎ番コラムに該当する売切れ状態データが売切れ発生状態の場合、ｎ番コラムに該当する売切れ状態データをクリアにし、ＳＴＥＰ３０を行なう（ＳＴＥＰ２９）。ｎ番コラムに該当する選択ボタン５の売切れランプを点灯し、ｎ番コラムの販売を不可にする（ＳＴＥＰ３０）。全コラムの確認をしたか否かを判定し、している場合は処理を終了し、していない場合はＳＴＥＰ３２を行なう（ＳＴＥＰ３１）。次コラムの確認を行なうために、コラム番号nに１を加算し、ＳＴＥＰ２６を行なう（ＳＴＥＰ３２）。
【００４２】
以上のように、本実施の形態においては、特に、第１または第２の発明に、さらに、商品の売切れ変化を記憶する売切れ状態記憶手段８を備え、演算制御部６ｃは、劣化日数設定手段７にてコラム毎に変更されたデータを、劣化日数記憶手段２に記憶させ、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にすることにより、コラムに商品を１本だけ残して売切れ状態となる自動販売機において、商品ありから売切れに変化した状態から、さらに１回だけ販売することが可能となり、収容する商品を全て販売し残品を残さないことができ、商品の劣化を防止することができる。
【００４３】
（実施の形態４）
図７は、本発明の実施の形態４による自動販売機の制御装置の機能ブロック図である。図８は、同実施の形態の動作を示すフローチャートである。なお実施の形態３と同一構成のものは、同一符号を付してその詳細な説明を省略する。
【００４４】
図７において、９はコラムが収容されている庫内番号を記憶する庫内番号記憶手段、６ｄは劣化日数設定手段７にてコラム毎に変更されたデータを、劣化日数記憶手段２に記憶させ、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にし、一方で、各庫内に収容されているコラムを庫内番号記憶手段９にて判定し、庫内に収容されているコラムが全て販売が不可の場合は、該当庫内の冷熱システムを停止する演算制御部である。
【００４５】
以上のように構成された自動販売機の制御装置について、以下その動作を図８のフローチャートをもとにして説明する。
【００４６】
まず、演算制御部６ｄは、全コラムの劣化日数設定手段７にて劣化日数が変更されたか否かを判定し、変更がある場合はＳＴＥＰ３４を行ない、変更がない場合はＳＴＥＰ３５を行なう（ＳＴＥＰ３３）。劣化日数設定手段７にてコラム毎に変更されたデータを、劣化日数記憶手段２に記憶させる（ＳＴＥＰ３４）。タイマー４にて日付に変更があるか否かを判定し、変更がある場合はＳＴＥＰ３６を行ない、変更がない場合はＳＴＥＰ３７を行なう（ＳＴＥＰ３５）。経過日数記憶手段３に記憶されている各コラムの経過日数データに１を加算し、経過日数記憶手段３に記憶させる（ＳＴＥＰ３６）。各コラム別に判定を実施するために、コラム番号nに初期データとして１をセットする（ＳＴＥＰ３７）。ｎ番コラムが売切れか否かを判定し、売切れの場合はＳＴＥＰ３９を行ない、売切れでない場合はＳＴＥＰ４０を行なう（ＳＴＥＰ３８）。経過日数記憶手段３のｎ番コラムに該当する経過日数データをクリアする（ＳＴＥＰ３９）。
【００４７】
劣化日数記憶手段２のｎ番コラムに該当する劣化日数データと経過日数記憶手段３のｎ番コラムに該当する経過日数データを比較し、経過日数データが劣化日数データより大きいか否かを判定し、大きい場合はＳＴＥＰ４２を行ない、大きくない場合はＳＴＥＰ４１を行なう（ＳＴＥＰ４０）。商品販売後、ｎ番コラムが売切れでない場合、売切れ状態記憶手段８に記憶されているｎ番コラムに該当する売切れ状態データをクリアし、ＳＴＥＰ４３を行なう。商品販売後、ｎ番コラムが売切れで、売切れ状態記憶手段８に記憶されているｎ番コラムに該当する売切れ状態データがクリアの場合、ｎ番コラムに該当する売切れ状態データに売切れ発生状態をセットし、ＳＴＥＰ４３を行なう。商品販売後、ｎ番コラムが売切れで、売切れ状態記憶手段８に記憶されているｎ番コラムに該当する売切れ状態データが売切れ発生状態の場合、ｎ番コラムに該当する売切れ状態データをクリアにし、ＳＴＥＰ４２を行なう（ＳＴＥＰ４１）。ｎ番コラムに該当する選択ボタン５の売切れランプを点灯し、ｎ番コラムの販売を不可にする（ＳＴＥＰ４２）。全コラムの確認をしたか否かを判定し、している場合はＳＴＥＰ４５を行ない、していない場合はＳＴＥＰ４４を行なう（ＳＴＥＰ４３）。次コラムの確認を行なうために、コラム番号nに１を加算し、ＳＴＥＰ３８を行なう（ＳＴＥＰ４４）。各庫内に収容されているコラムを庫内番号記憶手段９にて判定し、収容されているコラムが全て販売が不可の場合、該当する庫内の冷熱システムを停止させる信号を主制御部１に送信する（ＳＴＥＰ４５）。
【００４８】
以上のように、本実施の形態においては、特に、第１〜３の発明のいずれか１つの発明に、さらに、コラムが収容されている庫内番号を記憶する庫内番号記憶手段９を備え、演算制御部６ｄは、劣化日数設定手段７にてコラム毎に変更されたデータを、劣化日数記憶手段２に記憶させ、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にし、一方で、各庫内に収容されているコラムを庫内番号記憶手段９にて判定し、庫内に収容されているコラムが全て販売が不可の場合は、該当庫内の冷熱システムを停止することにより、各庫内にて、収容しているコラムが全て販売不可になった場合に該当庫内の冷熱システムを停止することができ、無駄な冷熱システム運転をなくすことができる。
【００４９】
（実施の形態５）
図９は、本発明の実施の形態５による自動販売機の制御装置の機能ブロック図である。図１０は、同実施の形態の動作を示すフローチャートである。なお実施の形態４と同一構成のものは、同一符号を付してその詳細な説明を省略する。
【００５０】
図９において、１０は冷熱システム制御温度レベル毎に劣化日数補正データを記憶する劣化日数補正データ記憶手段、６ｅは劣化日数設定手段７にてコラム毎に変更されたデータを、劣化日数記憶手段２に記憶させ、主制御部１にて冷熱システム制御温度レベルが変更された場合、劣化日数補正データ記憶手段１０に記憶されているデータに基づき劣化日数を補正し、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にし、一方で、各庫内に収容されているコラムを庫内番号記憶手段９にて判定し、庫内に収容されているコラムが全て販売が不可の場合は、該当庫内の冷熱システムを停止する演算制御部である。
【００５１】
以上のように構成された自動販売機の制御装置について、以下その動作を図１０のフローチャートをもとにして説明する。
【００５２】
まず、演算制御部６ｅは、全コラムの劣化日数設定手段７にて劣化日数が変更されたか否かを判定し、変更がある場合はＳＴＥＰ４７を行ない、変更がない場合はＳＴＥＰ４８を行なう（ＳＴＥＰ４６）。劣化日数設定手段７にてコラム毎に変更されたデータを、劣化日数記憶手段２に記憶させる（ＳＴＥＰ４７）。主制御部１にて冷熱システム制御温度レベルが変更されたか否かを判定し、変更がある場合はＳＴＥＰ４９を行ない、変更がない場合はＳＴＥＰ５０を行なう（ＳＴＥＰ４８）。主制御部１にて変更された冷熱システム制御温度レベルに該当する劣化日数補正データを劣化日数補正データ記憶手段１０より算出し、劣化日数記憶手段２に記憶されている劣化日数データを、算出した劣化日数補正データにて補正し、劣化日数記憶手段２に記憶させる（ＳＴＥＰ４９）。タイマー４にて日付に変更があるか否かを判定し、変更がある場合はＳＴＥＰ５１を行ない、変更がない場合はＳＴＥＰ５２を行なう（ＳＴＥＰ５０）。経過日数記憶手段３に記憶されている各コラムの経過日数データに１を加算し、経過日数記憶手段３に記憶させる（ＳＴＥＰ５１）。各コラム別に判定を実施するために、コラム番号nに初期データとして１をセットする（ＳＴＥＰ５２）。ｎ番コラムが売切れか否かを判定し、売切れの場合はＳＴＥＰ５４を行ない、売切れでない場合はＳＴＥＰ５５を行なう（ＳＴＥＰ５３）。経過日数記憶手段３のｎ番コラムに該当する経過日数データをクリアする（ＳＴＥＰ５４）。
【００５３】
劣化日数記憶手段２のｎ番コラムに該当する劣化日数データと経過日数記憶手段３のｎ番コラムに該当する経過日数データを比較し、経過日数データが劣化日数データより大きいか否かを判定し、大きい場合はＳＴＥＰ５７を行ない、大きくない場合はＳＴＥＰ５６を行なう（ＳＴＥＰ５５）。商品販売後、ｎ番コラムが売切れでない場合、売切れ状態記憶手段８に記憶されているｎ番コラムに該当する売切れ状態データをクリアし、ＳＴＥＰ５８を行なう。商品販売後、ｎ番コラムが売切れで、売切れ状態記憶手段８に記憶されているｎ番コラムに該当する売切れ状態データがクリアの場合、ｎ番コラムに該当する売切れ状態データに売切れ発生状態をセットし、ＳＴＥＰ５８を行なう。商品販売後、ｎ番コラムが売切れで、売切れ状態記憶手段８に記憶されているｎ番コラムに該当する売切れ状態データが売切れ発生状態の場合、ｎ番コラムに該当する売切れ状態データをクリアにし、ＳＴＥＰ５７を行なう（ＳＴＥＰ５６）。ｎ番コラムに該当する選択ボタン５の売切れランプを点灯し、ｎ番コラムの販売を不可にする（ＳＴＥＰ５７）。
【００５４】
全コラムの確認をしたか否かを判定し、している場合はＳＴＥＰ６０を行ない、していない場合はＳＴＥＰ５９を行なう（ＳＴＥＰ５８）。次コラムの確認を行なうために、コラム番号nに１を加算し、ＳＴＥＰ５３を行なう（ＳＴＥＰ５９）。各庫内に収容されているコラムを庫内番号記憶手段９にて判定し、収容されているコラムが全て販売が不可の場合、該当する庫内の冷熱システムを停止させる信号を主制御部１に送信する（ＳＴＥＰ６０）。
【００５５】
以上のように、本実施の形態においては、特に、第１〜４の発明のいずれか１つの発明に、さらに、冷熱システム制御温度レベル毎に劣化日数補正データを記憶する劣化日数補正データ記憶手段１０を備え、演算制御部６ｅは、劣化日数設定手段７にてコラム毎に変更されたデータを、劣化日数記憶手段２に記憶させ、主制御部１にて冷熱システム制御温度レベルが変更された場合、劣化日数補正データ記憶手段１０に記憶されているデータに基づき劣化日数を補正し、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にし、一方で、各庫内に収容されているコラムを庫内番号記憶手段９にて判定し、庫内に収容されているコラムが全て販売が不可の場合は、該当庫内の冷熱システムを停止することにより、冷熱システムの制御温度が変更された場合、その制御温度に該当する補正データによって、適正な劣化日数により、より正確に劣化を判定することができる。
【００５６】
（実施の形態６）
図１１は、本発明の実施の形態５による自動販売機の制御装置の機能ブロック図である。図１２は、同実施の形態の動作を示すフローチャートである。なお実施の形態５と同一構成のものは、同一符号を付してその詳細な説明を省略する。
【００５７】
図１１において、１１は各コラムの劣化日数に到達するまでの日数を表示する劣化到達日数表示手段、６ｆは劣化日数設定手段７にてコラム毎に変更されたデータを、劣化日数記憶手段２に記憶させ、主制御部１にて冷熱システム制御温度レベルが変更された場合、劣化日数補正データ記憶手段１０に記憶されているデータに基づき劣化日数を補正し、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にし、一方で、各庫内に収容されているコラムを庫内番号記憶手段９にて判定し、庫内に収容されているコラムが全て販売が不可の場合は、該当庫内の冷熱システムを停止し、一方で、各コラム毎に、劣化日数記憶手段２に記憶されている劣化日数から経過日数記憶手段３に記憶されている経過日数を減算し、そのデータを各コラム毎に劣化到達日数表示手段１１に表示する演算制御部である。
【００５８】
以上のように構成された自動販売機の制御装置について、以下その動作を図１２のフローチャートをもとにして説明する。
【００５９】
まず、演算制御部６ｆは、全コラムの劣化日数設定手段７にて劣化日数が変更されたか否かを判定し、変更がある場合はＳＴＥＰ６２を行ない、変更がない場合はＳＴＥＰ６３を行なう（ＳＴＥＰ６１）。劣化日数設定手段７にてコラム毎に変更されたデータを、劣化日数記憶手段２に記憶させる（ＳＴＥＰ６２）。主制御部１にて冷熱システム制御温度レベルが変更されたか否かを判定し、変更がある場合はＳＴＥＰ６４を行ない、変更がない場合はＳＴＥＰ６５を行なう（ＳＴＥＰ６３）。主制御部１にて変更された冷熱システム制御温度レベルに該当する劣化日数補正データを劣化日数補正データ記憶手段１０より算出し、劣化日数記憶手段２に記憶されている劣化日数データを、算出した劣化日数補正データにて補正し、劣化日数記憶手段２に記憶させる（ＳＴＥＰ６４）。タイマー４にて日付に変更があるか否かを判定し、変更がある場合はＳＴＥＰ６６を行ない、変更がない場合はＳＴＥＰ６７を行なう（ＳＴＥＰ６５）。経過日数記憶手段３に記憶されている各コラムの経過日数データに１を加算し、経過日数記憶手段３に記憶させる（ＳＴＥＰ６６）。各コラム別に判定を実施するために、コラム番号nに初期データとして１をセットする（ＳＴＥＰ６７）。ｎ番コラムが売切れか否かを判定し、売切れの場合はＳＴＥＰ６９を行ない、売切れでない場合はＳＴＥＰ７０を行なう（ＳＴＥＰ６８）。経過日数記憶手段３のｎ番コラムに該当する経過日数データをクリアする（ＳＴＥＰ６９）。劣化日数記憶手段２のｎ番コラムに該当する劣化日数データと経過日数記憶手段３のｎ番コラムに該当する経過日数データを比較し、経過日数データが劣化日数データより大きいか否かを判定し、大きい場合はＳＴＥＰ７２を行ない、大きくない場合はＳＴＥＰ７１を行なう（ＳＴＥＰ７０）。
【００６０】
商品販売後、ｎ番コラムが売切れでない場合、売切れ状態記憶手段８に記憶されているｎ番コラムに該当する売切れ状態データをクリアし、ＳＴＥＰ７３を行なう。商品販売後、ｎ番コラムが売切れで、売切れ状態記憶手段８に記憶されているｎ番コラムに該当する売切れ状態データがクリアの場合、ｎ番コラムに該当する売切れ状態データに売切れ発生状態をセットし、ＳＴＥＰ７３を行なう。
【００６１】
商品販売後、ｎ番コラムが売切れで、売切れ状態記憶手段８に記憶されているｎ番コラムに該当する売切れ状態データが売切れ発生状態の場合、ｎ番コラムに該当する売切れ状態データをクリアにし、ＳＴＥＰ７２を行なう（ＳＴＥＰ７１）。ｎ番コラムに該当する選択ボタン５の売切れランプを点灯し、ｎ番コラムの販売を不可にする（ＳＴＥＰ７２）。全コラムの確認をしたか否かを判定し、している場合はＳＴＥＰ７５を行ない、していない場合はＳＴＥＰ７４を行なう（ＳＴＥＰ７３）。次コラムの確認を行なうために、コラム番号nに１を加算し、ＳＴＥＰ６８を行なう（ＳＴＥＰ７４）。各庫内に収容されているコラムを庫内番号記憶手段９にて判定し、収容されているコラムが全て販売が不可の場合、該当する庫内の冷熱システムを停止させる信号を主制御部１に送信する（ＳＴＥＰ７５）。各コラム毎に、劣化日数記憶手段２に記憶されている劣化日数から経過日数記憶手段３に記憶されている経過日数を減算し、そのデータを各コラム毎に劣化到達日数表示手段１１に表示する（ＳＴＥＰ７６）。
【００６２】
以上のように、本実施の形態においては、特に、第１〜５の発明のいずれか１つの発明に、さらに、各コラムの劣化日数に到達するまでの日数を表示する劣化到達日数表示手段１１を備え、演算制御部６ｆは、劣化日数設定手段７にてコラム毎に変更されたデータを、劣化日数記憶手段２に記憶させ、主制御部１にて冷熱システム制御温度レベルが変更された場合、劣化日数補正データ記憶手段１０に記憶されているデータに基づき劣化日数を補正し、タイマー４にて日付が変更した場合、経過日数記憶手段３に記憶されている各コラムの経過日数データに１を加算し、コラムが商品売切れの場合、経過日数記憶手段３に記憶されている該当データをクリアし、コラムが商品ありとなった後、劣化日数記憶手段２に記憶されているデータより経過日数記憶手段３に記憶されているデータが大きくなった場合、該当コラムの選択ボタン５の売切れランプを点灯させ、販売を不可にし、一方で、劣化日数記憶手段２に記憶されているデータより経過日数記憶手段３に記憶されているデータが大きくない場合で商品が売切れの場合、売切れ状態記憶手段８の該当データに基づき販売可能にし、一方で、各庫内に収容されているコラムを庫内番号記憶手段９にて判定し、庫内に収容されているコラムが全て販売が不可の場合は、該当庫内の冷熱システムを停止し、各コラム毎に、劣化日数記憶手段２に記憶されている劣化日数から経過日数記憶手段３に記憶されている経過日数を減算し、そのデータを各コラム毎に劣化到達日数表示手段１１に表示することにより、各コラムの劣化に到達するまでの日数を顧客に知らしめ、劣化商品の発生の警告ができる。
【産業上の利用可能性】
【００６３】
以上のように、本発明にかかる自動販売機の制御装置は、収容本数や補充数等の複雑な設定をする必要もなく、正確に劣化を判定し、劣化商品の販売を防止することが可能となるので、ショーケース等での飲料の加温販売においても適用できる。
【図面の簡単な説明】
【００６４】
【図１】本発明の実施の形態１における自動販売機の制御装置のブロック図
【図２】本発明の実施の形態１における自動販売機の制御装置の動作を示すフローチャート
【図３】本発明の実施の形態２における自動販売機の制御装置のブロック図
【図４】本発明の実施の形態２における自動販売機の制御装置の動作を示すフローチャート
【図５】本発明の実施の形態３における自動販売機の制御装置のブロック図
【図６】本発明の実施の形態３における自動販売機の制御装置の動作を示すフローチャート
【図７】本発明の実施の形態４における自動販売機の制御装置のブロック図
【図８】本発明の実施の形態４における自動販売機の制御装置の動作を示すフローチャート
【図９】本発明の実施の形態５における自動販売機の制御装置のブロック図
【図１０】本発明の実施の形態５における自動販売機の制御装置の動作を示すフローチャート
【図１１】本発明の実施の形態６における自動販売機の制御装置のブロック図
【図１２】本発明の実施の形態６における自動販売機の制御装置の動作を示すフローチャート
【図１３】従来の自動販売機の制御装置の機能ブロック図
【符号の説明】
【００６５】
１    主制御部
２    劣化日数記憶手段
３    経過日数記憶手段
４    タイマー
５    選択ボタン
６ａ、６ｂ、６ｃ、６ｄ、６ｆ    演算制御部
７    劣化日数設定手段
８    売切れ状態記憶手段
９    庫内番号記憶手段
１０    劣化日数補正データ記憶手段
１１    劣化到達日数表示手段
１０１    判定部
１０２    保証期間演算部
１０３    平均販売数演算部
１０４    滞留期間演算部
１０５    表示器
【図１】
2005115733.tif 000003
【図２】
2005115733.tif 000004
【図３】
2005115733.tif 000005
【図４】
2005115733.tif 000006
【図５】
2005115733.tif 000007
【図６】
2005115733.tif 000008
【図７】
2005115733.tif 000009
【図８】
2005115733.tif 000010
【図９】
2005115733.tif 000011
【図１０】
2005115733.tif 000012
【図１１】
2005115733.tif 000013
【図１２】
2005115733.tif 000014
【図１３】
2005115733.tif 000015